(57)【特許請求の範囲】
【請求項１】
内側に非鉄金属材質の流路管２２０が具備されて前記流路管２２０を基準として両側に向い合うように配置された多数個の収容溝２３０が形成された本体２１０と、
前記流路管２２０を間に置いて互いに異なる極性で前記収容溝２３０に向い合うように収容されると共に前記本体２１０の長さ方向でも互いに異なる極性をなすように、隣り合う収容溝２３０に収容される多数個の永久磁石２４０と、
該永久磁石２４０と接触させられて前記収容溝２３０を閉鎖する金属製の遮蔽板２５０で構成される磁石モジュール２００と、及び
内側には前記磁石モジュール２００が装着可能になるように連通する装着口３１０と、該装着口３１０の後方で給水管２０が連結されるように外周縁にネジ山が形成された第１締結部３２０と、前記装着口３１０の前方で前記磁石モジュール２００を通過したイオン水を噴射する噴射部材が連結されるように内周縁にネジ山が形成された第２締結部３３０を有するハウジング３００と、
を含んで構成されたことを特徴とする磁石モジュールが具備されたユニバーサルアダプター。
【請求項２】
前記ハウジング３００の前記第１締結部３２０と前記第２締結部３３０との間には、前記磁石モジュール２００を通過しながら生成されるイオン水の噴射量を調節する流量調節部４００が具備されたことを特徴とする請求項１に記載の磁石モジュールが具備されたユニバーサルアダプター。
【請求項３】
前記流量調節部４００は、
前記ハウジング３００の前方から前記第１締結部３２０方向に延伸形成されて、前記ハウジング３００の外径より小さな外径を有するスリップ部３４０と、
前記装着口３１０の前方に配置されて、前記磁石モジュール２００を通じて排出されるイオン水が前記第２締結部３３０に流動させられるように連通ホール４１３が形成された流路パッド４１０と、
前記ハウジング３００の前記スリップ部３４０に回転可能に嵌められるキャップ形態の流量調節胴体４３０と、
前記流路パッド４１０と密着させられるように前記流量調節胴体４３０の上部面に形成されて、前記流量調節胴体４３０の回転によって前記連通ホール４１３の開度を変化させる調節孔４４０と、
上部が開放された状態で前記調節孔４４０を取り囲んで、前記第２締結部３３０に回転可能に結合されるように前記流量調節胴体４３０の上部面から突き出して形成された流路ガイド４５０を含む流量調節給水口４２０と、
で構成されたことを特徴とする請求項２に記載の磁石モジュールが具備されたユニバーサルアダプター。
【請求項４】
前記流量調節給水口４２０の前記流量調節胴体４３０が前記スリップ部３４０に回転可能に嵌められるように、
前記スリップ部３４０の外周縁には外周縁に沿って突き出して形成された固定突起３４３が形成されて、
前記流量調節胴体４３０の内側末端部には、前記スリップ部３４０の前記固定突起３４３に引っ掛かる固定ホック４３３が形成されたことを特徴とする請求項３に記載の磁石モジュールが具備されたユニバーサルアダプター。
【請求項５】
前記流量調節給水口４２０の前記流量調節胴体４３０が前記第２締結部３３０に回転可能に嵌められるように、
前記流路ガイド４５０の上端には外側に突き出して形成された係止突起４５３が形成され
て、
前記第２締結部３３０の内周縁には前記流路ガイド４５０の前記係止突起４５３の高さと対応する位置に前記係止突起４５３が嵌められる係止溝３３３が形成されたことを特徴とする請求項３又は４に記載の磁石モジュールが具備されたユニバーサルアダプター。
【請求項６】
前記第２締結部３３０と前記流量調節給水口４２０の間及び前記流量調節給水口４２０と前記スリップ部３４０の前方との間には水密を保持するためのＯ-リングＯがそれぞれ介在することを特徴とする請求項５に記載の磁石モジュールが具備されたユニバーサルアダプター。
【請求項７】
前記スリップ部３４０の前方内側には前記Ｏ-リングＯが収容される第１Ｏ-リングＯの収容部３４５が形成されて、前記第２締結部３３０の内側下端には前記Ｏ-リングＯが収容される第２Ｏ-リングＯの収容部３３５が形成されたことを特徴とする請求項６に記載の磁石モジュールが具備されたユニバーサルアダプター。
【請求項８】
前記流路パッド４１０の周縁には少なくとも一つの位置固定ピン４１５が突き出して形成されて、前記装着口３１０の前方には前記流路パッド４１０の前記位置固定ピン４１５が挿入されるピン孔３１３が形成されたことを特徴とする請求項７に記載の磁石モジュールが具備されたユニバーサルアダプター。
【請求項９】
前記流路パッド４１０の前記連通ホール４１３及び前記流量調節給水口４２０の前記調節孔４４０は、相互に対応する形状を有することを特徴とする請求項８に記載の磁石モジュールが具備されたユニバーサルアダプター。
【請求項１０】
前記流量調節胴体４３０の外周縁には流量調節胴体４３０がスリップ部３４０の固定突起３４３に嵌められる時、自己弾性を有するように長さ方向に多数個の弾性切開溝４３５が形成されたことを特徴とする請求項９に記載の磁石モジュールが具備されたユニバーサルアダプター。
【請求項１１】
前記流量調節胴体４３０の上部外周縁には、ナーレット４３７がさらに具備されたことを特徴とする請求項１０に記載の磁石モジュールが具備されたユニバーサルアダプター。
【請求項１２】
前記ハウジング３００の第１締結部３２０の内側には前記装着口３１０と連通する段差部(step)３２３が形成されて、前記本体２１０の下端には前記磁石モジュール２００が前記装着口３１０に収容される時、前記段差部(step)３２３に圧入固定されるようにＯ-リングＯが具備されたヘッド部２１３が形成されたことを特徴とする請求項１１に記載の磁石モジュールが具備されたユニバーサルアダプター。
【請求項１３】
前記磁石モジュール２００の本体２１０と前記ハウジング３００はＡＢＳ、ＦＲＰ又はエンジニアリングプラスチックのうちの何れか一つの素材で形成されたことを特徴とする請求項１２に記載の磁石モジュールが具備されたユニバーサルアダプター。
【発明の詳細な説明】
【技術分野】
【０００１】
本発明は、水道水をイオン化させるイオン水生成装置に関するものであり、さらに詳細には、水道水を噴射する各種噴射部材の設置場所に制約を受けないで給水管と噴射部材との間に結合されてイオン水を生成するようにする磁石モジュールが具備されたユニバーサルアダプターに関するものである。
【背景技術】
【０００２】
水は日常生活で欠かせない重要な要素中の一つであり、人間の生命を維持するためになくてはならない生命資源である。
【０００３】
しかし、水道水は社会の発展による水質汚染があり、大規模取水がなされて多くの浄化過程を経て浄化処理される。この過程で各種不純物と人体に有害な成分が含有されるために不信が漸進的に大きくなっている。これにより飲み水として使用することを避けて、その代用で別途の天然水を購入して飲用するか、又は浄水器を通じて浄水された水を飲み水として飲用していることが現実である。
【０００４】
最近は永久磁石による磁化を通じて水道水をイオン化させてイオン水を生成するイオン水生成装置が普及しているので、前記イオン水が人体に有用であるということを知って飲用するか、又は身体を洗うための用途としても使われている。
【０００５】
このようなイオン水は、５角や６角になった輪構造で水分子が結合している形態になっている。このうちで６角の輪構造になる水をイオン水(通常、六角水という)と呼んでいるが、このようなイオン水が、体内細胞に一番好ましい水であると言われる。
【０００６】
イオン水の生成原理は、水が流れる配管に上下に永久磁石をそれぞれ配置して、水が流れるようにして磁場を形成するようにするが、この時、水が流れる方向に対して直角方向に磁場を形成すれば、水の表面張力が大きくなって、水の分子構造がイオン活性化されながらイオン水が生成される。
【０００７】
このようなイオン水は、人体組織内の毒性物質を排出して、詰まった動脈を掃除してくれて循環器系統を活性化させて、心臓の機能を調節して心身の気力を高めてくれて、腸内の酸性度を低下させて脳の活動を促進する。
【０００８】
また、イオン水を用いてシャワーをするか、又は風呂に入るようにすれば血液循環を促進させて疲れが回復して、水の粒子が小さくて毛穴をきれいに洗滌すると共にきれいな肌を維持するようになって、水虫や湿疹が消えて、歯を磨く時に歯石も消えて炎症にも効果がある。
【０００９】
また、前記イオン水がキッチンの流し台で使われる場合、洗浄剤を使わなくても食器の洗滌ができることで、水質環境が汚染されることを防止する効果もある。
【００１０】
しかし、前記イオン水生成装置は、多様な形態で互いに異なる大きさで製作されて、各使用先に設置されると共に価格が高価であるために、費用負担の問題と併せて各使用先の環境に応じて設置されるために設置が難しい問題がある。
【００１１】
また、前記イオン水生成装置に装着される永久磁石が、図１に示したように、流路管４０を間に置いて互いに異なる極性で向い合う一対の永久磁石５０が前記流路管４０の長さ
方向に多数個が配置されることによって、流路管４０の間には磁場が形成されるが、流路管４０の長さ方向に配置された多数個の永久磁石５０の間には同一極性が形成されることによって斥力が発生するようになって磁気力が相殺される問題がある。
すなわち、永久磁石５０の磁気力相殺による水道水のイオン化程度が減少するようになる。
【発明の概要】
【発明が解決しようとする課題】
【００１２】
本発明は、前記のような問題点及び技術的欠点を解消するために案出されたものであり、内部に磁石モジュールが具備された状態で小型に製作されて、噴射部材の種類及び設置場所に拘わらず、噴射部材と水栓との間にすぐ結合されてイオン水が生成されるようにすることにその目的がある。
【００１３】
また、永久磁石の極性を異にして水道水のイオン化を極大化して、イオン水の吐出流量が選択的に調節されるようにすることにまた他の目的がある。
【課題を解決するための手段】
【００１４】
前記の目的を達成するために本発明は、内側で非鉄金属材質の流路管が具備されて、前記流路管を基準として両側に向い合うように配置された多数個の収容溝が形成された本体と、前記流路管を間に置いて互いに異なる極性で前記収容溝に向い合うように収容されると共に前記本体の長さ方向でも互いに異なる極性をなすように隣り合う収容溝に収容される多数個の永久磁石と、該永久磁石と接触させられて前記収容溝を閉鎖する金属製の遮蔽板で構成される磁石モジュールと、及び内側には前記磁石モジュールが装着可能になるように連通する装着口と、該装着口の後方で給水管が連結されるように外周縁にネジ山が形成された第１締結部と、前記装着口の前方で前記磁石モジュールを通過したイオン水を噴射する噴射部材が連結されるように内周縁にネジ山が形成された第２締結部を有するハウジングと、が提供される。
【００１５】
一方、前記ハウジングの前記第１締結部と前記第２締結部との間には、前記磁石モジュールを通過しながら生成されるイオン水の噴射量を調節する流量調節部が具備されていることが望ましい。
【００１６】
この時、前記流量調節部は、前記ハウジングの前方から前記第１締結部方向に延伸形成されて、前記ハウジングの外径より小さな外径を有するスリップ部と、前記装着口の前方に配置されて、前記磁石モジュールを通じて排出されるイオン水が前記第２締結部に流動させられるように連通ホールが形成された流路パッドと、前記ハウジングの前記スリップ部に回転可能に嵌められるキャップ形態の流量調節胴体と、前記流路パッドと密着させられるように前記流量調節胴体の上部面に形成されて、前記流量調節胴体の回転によって前記連通ホールの開度を変化させる調節孔と、上部が開放された状態で前記調節孔を取り囲んで前記第２締結部に回転可能に結合されるように前記流量調節胴体の上部面から突き出して形成された流路ガイドを含む流量調節給水口と、で構成されていることが望ましい。この場合、前記流量調節給水口の前記流量調節胴体が前記スリップ部に回転可能に嵌められるように、前記スリップ部の外周縁には外周縁に沿って突き出して形成された固定突起が形成されて、前記流量調節胴体の内側末端部には前記スリップ部の前記固定突起に引っ掛かる固定ホックが形成されていることが望ましい。
【００１７】
また、前記流量調節給水口の前記流量調節胴体が前記第２締結部に回転可能に嵌められるように、前記流路ガイドの上端には外側に突き出して形成された係止突起が形成されて、前記第２締結部の内周縁には前記流路ガイドの前記係止突起の高さと対応する位置に前記係止突起が嵌められる係止溝が形成されていることが望ましい。
【００１８】
そして、前記第２締結部と前記流量調節給水口との間及び前記流量調節給水口と前記スリップ部の前方との間には水密を保持するためのＯ-リングがそれぞれ介在されていることが望ましい。
【００１９】
また、前記スリップ部の前方内側には前記Ｏ-リングが収容される第１Ｏ-リング収容部が形成されて、前記第２締結部の内側下端には前記Ｏ-リングが収容される第２Ｏ-リング収容部が形成されていることが望ましい。
【００２０】
一方、前記流路パッドの周縁には少なくとも一つの位置固定ピンが突き出して形成されて、前記装着口の前方には前記流路パッドの前記位置固定ピンが挿入されるピン孔が形成されていることが望ましい。
【００２１】
そして、前記流路パッドの前記連通ホール及び前記流量調節給水口の前記調節孔は、相互に対応する形状を有することが望ましい。
【００２２】
一方、前記流量調節胴体の外周縁には、前記流量調節胴体が前記スリップ部の前記固定突起に嵌められる時、自己弾性を有するように長さ方向に多数個の弾性切開溝が形成されていることが望ましい。
【００２３】
また、前記流量調節胴体の上部外周縁にはナーレットがさらに具備されていることが望ましい。
【００２４】
また、前記ハウジングの第１締結部の内側には前記装着口と連通する段差部(step)が形成されて、前記本体の下端には前記磁石モジュールが前記装着口に収容される時、前記段差部(step)に圧入固定されるようにＯ-リングが具備されたヘッド部が形成されたことが望ましい。
【００２５】
そして、前記磁石モジュールの本体と前記ハウジングはＡＢＳ、ＦＲＰ又はエンジニアリングプラスチックのうちの何れか一つの素材で形成されていることが望ましい。
【発明の効果】
【００２６】
前記のような構成を有した本発明の磁石モジュールが具備されたユニバーサルアダプターによると、磁石モジュールが内蔵されたユニバーサルアダプターが噴射部材の種類及び設置場所に制約を受けないで噴射部材に結合することができる。
【図面の簡単な説明】
【００２７】
【図１】従来のイオン水生成装置に装着される永久磁石の配置を示した参照図である。
【図２】本発明によるユニバーサルアダプターの構成を示した分解斜視図である。
【図３】本発明によるユニバーサルアダプターの構成のうち磁石モジュールの構成を示した分解斜視図である。
【図４】本発明によるユニバーサルアダプターの要部断面図である。
【図５】本発明によるユニバーサルアダプターの構成のうちで磁石モジュールに装着される永久磁石の配置を示した参照図である。
【図６】本発明による実施例でユニバーサルアダプターがシャワー器に結合された状態を示した参照図である。
【発明を実施するための形態】
【００２８】
以下、本発明を添付された図面に基づいて、望ましい実施例を参照してさらに詳しく説明する。本実施例及び図面は、本発明の理解を助けようとするものであるだけで、発明の
技術的範囲をこれに限定しようとするものではない。
【００２９】
本発明の磁石モジュールが具備されたユニバーサルアダプターは、噴射部材と給水管との間に連結されて使われるものであり、噴射部材の設置場所又は噴射部材の種類に拘わらず、結合されてイオン水を生成するものである。
【００３０】
説明に先立って、前記噴射部材はシャワー器、流し台の水栓口に具備される補助水栓口(一例、コブラ)及びスプレーガンなどのような水道水を噴射する部材であり、実施例ではユニバーサルアダプターがシャワー器に結合されることの例を挙げて説明することにする。
【００３１】
図２ないし図６に示したように、磁石モジュール２００が具備されたユニバーサルアダプター１００は、イオン水を生成する磁石モジュール２００と、該磁石モジュール２００が装着されるハウジング３００で構成されている。
【００３２】
磁石モジュール２００は、前記ハウジング３００の内部に装着されて流入される水道水をイオン化するものであり、内側で非鉄金属材質の流路管２２０が具備されて、前記流路管２２０を基準として両側に向い合うように配置された多数個の収容溝２３０が形成された本体２１０と、前記流路管２２０を間に置いて互いに異なる極性で前記収容溝２３０に向い合うように収容されると共に前記本体２１０の長さ方向でも互いに異なる極性をなすように、隣り合う収容溝２３０に収容される多数個の永久磁石２４０と、該永久磁石２４０と接触して、前記多数個の収容溝２３０を閉鎖する金属製の遮蔽板２５０で構成されている。
【００３３】
前記本体２１０は、後述するハウジング３００の装着口３１０と対応するように円筒形状を保持して、その内側には断面が長方形のスロット形状を有する非鉄金属材質の流路管２２０が具備されている。
【００３４】
前記流路管２２０が長方形のスロットの形状を有することは、前記本体２１０の収容溝２３０に収容される前記永久磁石２４０の一面とより広い接触面積を保持して永久磁石２４０から形成される磁場の均一化をなすことで、流路管２２０を流動する水道水のイオン化が均一になされるようにするためである。
【００３５】
また、前記流路管２２０は、非鉄金属材質で形成されることによって、前記永久磁石２４０で形成される磁場の影響を受けないために永久磁石２４０の磁束漏洩を防止して磁束密度を増加させる。
【００３６】
一方、前記本体２１０の下端には前記磁石モジュール２００が後述するハウジング３００の装着口３１０に収容される時、第１締結部３２０の端部に形成された段差部(step)３２３に圧入固定されるように、Ｏ-リングＯが具備されたヘッド部２１３が形成されている。これは、前記磁石モジュール２００が前記ハウジング３００に収容された状態が保持されるようにするためであり、水道水が前記装着口３１０に流入することを防止するためである。
【００３７】
前記本体２１０の両側には前記流路管２２０を基準として相互に向い合うように配置されて、流路管２２０に連通された四角形状を有する６個の収容溝２３０が形成されている。
【００３８】
ここで、前記収容溝２３０の個数を６個で示したが、前記本体２１０の長さによって変えることができるので個数は限定しない。
【００３９】
前記収容溝２３０には前記永久磁石２４０が収容される。前記永久磁石２４０は、前記流路管２２０の内部に磁場を形成させることで、前記流路管２２０を流動する水道水の水分子を微粒子化してイオン化させるものであり、前記収容溝２３０に収容される時、前記流路管２２０を間に置いて互いに異なる極性で向い合うように収容される。
すなわち、前記永久磁石２４０が流路管２２０を間に置いて一側にはＮ-Ｓ極と他側にはＳ-Ｎ極で前記収容溝２３０に収容される。
【００４０】
このようにすれば、前記永久磁石２４０は、互いに異なる極性による引力が発生して流路管２２０と接触させられた状態で流路管２２０を基準として両側に配置される。
【００４１】
そして、向い合うように永久磁石２４０が収容された前記収容溝２３０の隣り合う本体２１０の長さ方向に形成された収容溝２３０には本体２１０の長さ方向で互いに異なる極性をなしながら前記流路管２２０を間に置いても互いに異なる極性で向い合う永久磁石２４０が収容される。
【００４２】
正確には、多数個の収容溝２３０に収容される永久磁石２４０の配置が前記流路管２２０を間に置いて互いに異なる極性で向い合って、前記本体２１０の長さ方向でも互いに異なる極性で向い合うように配置される。
【００４３】
本実施例では、前記収容溝２３０に収容される前記永久磁石２４０の極性は、互いに異なる極性であれば良いために、極性の方向を限定しないことは勿論である。
【００４４】
前記遮蔽板２５０は、前記流路管２２０の間で向い合う永久磁石２４０の外側にそれぞれ具備されるものであり、永久磁石２４０の個数によるその長さに合うように長方形の板状で形成されて、各永久磁石２４０と接触をなしながら前記多数個の収容溝２３０を閉鎖する。
この場合、前記遮蔽板２５０は、永久磁石２４０と接触がなされるように誘電体性質を有する金属材質で形成されることが望ましい。
【００４５】
このようにすれば、本体２１０には前記遮蔽板２５０が多数個の永久磁石２４０と接触させられた状態で流路管２２０を間に置いて向い合うように配置されることによって、本体２１０の長さ方向に配置された永久磁石２４０及び流路管２２０を間に置いて向い合う永久磁石２４０の間に引力による磁力線が形成されると共に前記磁気力線が遮蔽板２５０を通じて連続的に経由する自己回路が形成される。
【００４６】
したがって、前記流路管２２０の幅方向及び長さ方向に引力が作用するために、従来の問題点で提示された磁気力が相殺される問題の解決と同時に水道水のイオン化を極大化することができる。
【００４７】
ここで、従来の永久磁石２４０の配置と本発明の永久磁石２４０の配置による磁束密度測定数値の差異を叙述する。この時、永久磁石２４０は、３，３００ガウス(Gauss)であるものを対象にし、比較のために本発明と従来の永久磁石２４０の個数は４個にした。
先ず、図１に示したように、従来のイオン水生成装置の構造は、永久磁石５０が流路管４０の間では互いに異なる極性で向い合うが、流路管４０の長さ方向に配置された永久磁石５０は同一極性で形成されている。
【００４８】
この場合、計算数値は６，６００ガウスであり、測定数値は６，０２０ガウスであると測定された。これは、流路管２２０の長さ方向に配置された永久磁石２４０が同一極性で配置されることによる斥力によって磁気力が相殺される漏洩磁束が発生するためである。
これに対して、本発明の永久磁石２４０の配置は、図５に示したようにする。ここで前記永久磁石２４０の配置は、先立って叙述したので、略することにする。
【００４９】
本発明の場合、計算数値は１３，２００ガウスであり、測定数値は８，７００ガウスであると測定された。これは、永久磁石２４０が流路管２２０の長さ方向で互いに異なる極性で配置されることによって、従来例のような同一極性による漏洩磁束が発生しなかったからである。
【００５０】
したがって、本発明と従来例を比べると、本発明では２，６８０ガウスの磁束密度が増加されたことを確認することができ、これにより水道水のイオン化がさらに極大化される。
【００５１】
一方、前記永久磁石２４０の厚さ(Ｄ)は３mm〜６mmの範囲で形成されることが望ましく、前記流路管２２０の幅(ｄ)は１．５mm〜３mmの範囲で形成されることが望ましい。
前記永久磁石２４０の厚さ(Ｄ)が３mm未満である場合には、加工性が容易でなくて、反面６mm超である場合には、嵩が大きくなるために相対的に前記磁石モジュール２００の嵩が大きくなって、これによる製造単価が上昇する問題がある。
【００５２】
また、前記流路管２２０の幅(ｄ)が１．５mm未満である場合には、前記永久磁石２４０の極間の距離が近くなることによって、磁束密度の極大化をなすことができるが、相対的に供給される水道水の流動が円滑になされることができずに、反面、前記流路管２２０の幅(ｄ)が３mm超である場合には、流路管２２０に供給される水道水の流動が円滑になされるが、相対的に永久磁石２４０の極間の距離が遠くなることによって、磁束密度率が低下する問題がある。
【００５３】
したがって、前記永久磁石２４０の厚さ(Ｄ)が３mm〜６mmであり、前記流路管２２０の幅(ｄ)が１．５mm〜３mmである時、永久磁石２４０の磁束密度が最も極大化される。
【００５４】
次に、ハウジング３００は、前記磁石モジュール２００が内蔵された状態で、図６に示したように、シャワー器１０と該シャワー器１０に連結される給水管２０の間に結合されて、前記シャワー器１０に噴出される、磁石モジュール２００によって生成されたイオン水の流量が調節されるようにするものであり、内側には前記磁石モジュール２００が装着可能になるように連通する装着口３１０と、該装着口３１０の後方で給水管２０が連結されるように外周縁にネジ山が形成された第１締結部３２０と、前記装着口３１０の前方に前記磁石モジュール２００を通過したイオン水を噴射する噴射部材が連結されるように内周縁にネジ山が形成された第２締結部３３０で構成されている。
【００５５】
前記ハウジング３００は、前記磁石モジュール２００を収容すると共に固定されるようにするものであり、円筒の形状を保持しているとともに、内側には磁石モジュール２００が装着されるように磁石モジュール２００の形状と対応しながらハウジング３００を連通する円形の装着口３１０が形成されている。
【００５６】
前記第１締結部３２０は、前記装着口３１０の後方、すなわち、ハウジング３００の後方から延伸形成されているとともに、外周縁には建物に埋込まれた水栓ボックス (図示せず)から分岐されてシャワー器１０に連結される給水管２０のカプラ３０と結合されるようにネジ山が形成されている(図２、６参照)。
【００５７】
図４に示したように、前記ハウジング３００の第１締結部３２０の内側には前記装着口３１０と連通する段差部(step)３２３が形成されるが、これは前記磁石モジュール２００が装着口３１０に収容される時、本体２１０のヘッド部２１３が圧入固定されるようにす
る空間を提供するためである。
【００５８】
前記第２締結部３３０は、前記装着口３１０の前方、すなわち、ハウジング３００の前方に形成されているとともに、内周縁には前記装着口３１０に装着された磁石モジュール２００によって生成されたイオン水がシャワー器１０に供給されるようにシャワー器１０の末端部と結合されるようにネジ山が形成されている(図２、６参照)。
【００５９】
ここで、噴射部材(シャワー器、流し台の補助水栓口(一例、コブラ)及びスプレーガンなど)と給水管２０は、給水管２０の端部に具備されたカプラ３０を通じて螺合によって締結されるが、この場合雌ねじ、雄ねじは、国際標準規格によって世界的に共通に採択されているために、本実施例での第１、２締結部３２０、３３０のネジ山の形状及び直径も等しく形成されることは勿論である。
【００６０】
一方、前記ハウジング３００の前記第１締結部３２０と前記第２締結部３３０との間には前記磁石モジュール２００を通過しながら生成されるイオン水の噴射量を調節する流量調節部４００が具備されることが望ましい。
【００６１】
前記流量調節部４００は、シャワー器１０に噴出されるイオン水の流量を選択的に調節するものであり、スリップ部３４０と、流路パッド４１０と、流量調節給水口４２０で構成されている。
【００６２】
前記スリップ部３４０は、前記ハウジング３００の前方から前記第１締結部３２０方向に延伸形成されているとともに、前記ハウジング３００の外径より小さな外径を有するように形成されている。
【００６３】
正確には、前記スリップ部３４０が前記ハウジング３００の外径から内側方向に所定間隔引っ込むように形成されるものであり、その形状が前記ハウジング３００の形状と対応する円筒の形状をなしている。
【００６４】
前記流路パッド４１０は、円形の板状で前記ハウジング３００の内側に形成された前記装着口３１０の前方に配置されて、前記磁石モジュール２００を通じて排出されるイオン水が前記第２締結部３３０に流動させられるように連通ホール４１３が形成されている。
【００６５】
前記連通ホール４１３は、図２に示したように、扇形の形状で２個が向い合うように形成されているとともに、この場合、連通ホール４１３の形状は、後述するように前記流量調節給水口４２０の調節孔４４０の形状と対応するように形成することが望ましい。これは、前記流量調節給水口４２０の回転によってイオン水の流量が調節されるようにするためである。
【００６６】
この時、前記流路パッド４１０の周縁には少なくとも一つの位置固定ピン４１５が突き出して形成されて、前記装着口３１０の前方には前記流路パッド４１０の前記位置固定ピン４１５が挿入されるピン孔３１３が形成されている。本実施例では４個のピン孔が形成されたものとして示したが、個数を必ずしも限定するものではない。
【００６７】
したがって、前記流路パッド４１０は、前記位置固定ピン４１５が前記ピンホール３１３に挿入されることで、装着口３１０の前方に安定的に配置される。
【００６８】
前記流量調節給水口４２０は、前記ハウジング３００の前記スリップ部３４０に回転可能に装着されるキャップ形態の流量調節胴体４３０と、前記流路パッド４１０と密着されるように前記流量調節胴体４３０の上部面に形成されて、前記流量調節胴体４３０の回転
によって前記連通ホール４１３の開度を変化させる調節孔４４０と、上部が開放された状態で前記調節孔４４０を取り囲んで、前記第２締結部３３０に回転可能に結合されるように前記流量調節胴体４３０の上部面から突き出して形成された流路ガイド４５０を含む流量調節給水口４２０で構成されている。
【００６９】
前記流量調節胴体４３０は、前記ハウジング３００のスリップ部３４０が収容されるように内側が開口されると共に外部と連通されて、前記ハウジング３００の外径と対応する形状でキャップ形態を保持している。
【００７０】
そして、前記流量調節給水口４２０の前記流量調節胴体４３０が前記スリップ部３４０に回転可能に嵌められるように、前記スリップ部３４０の外周縁には外周縁に沿って突き出して形成された固定突起３４３が形成されて、前記流量調節胴体４３０の内側末端部には前記スリップ部３４０の前記固定突起３４３に引っ掛かる固定ホック４３３が形成されていることが望ましい。
【００７１】
このようにすれば、前記流量調節給水口４２０は、固定ホック４３３が固定突起３４３に嵌められることによって、ハウジング３００からの離脱が防止されると共に回転が可能になる。
【００７２】
本実施例では、前記流量調節胴体４３０が前記固定突起３４３と前記固定ホック４３３の結合を通じて前記ハウジング３００のスリップ部３４０に回転可能に結合されるものとして説明したが、その結合方法を必ずしも限定するものではない。
【００７３】
この時、前記流量調節胴体４３０の外周縁には、前記流量調節胴体４３０が前記スリップ部３４０の前記固定突起３４３に嵌められる時、自己弾性を有するように長さ方向に多数個の弾性切開溝４３５が形成されているが、これは流量調節胴体４３０の固定ホック４３３がスリップ部３４０の固定突起３４３に嵌められる時、瞬間的に外側方向に離れるようにするためである。
【００７４】
また、前記流量調節胴体４３０の上部外周縁には、ナーレット４３７がさらに具備されたものが望ましいが、これは前記流量調節給水口４２０の回転による流量調節の容易性を提供するためのものであり、本実施例では流量調節胴体４３０の外側に突き出して形成されたものとして示した。
【００７５】
前記調節孔４４０は、前記流量調節胴体４３０が前記ハウジング３００のスリップ部３４０に嵌められる時、前記流路パッド４１０と密着させられるように前記流量調節胴体４３０の上部面に形成されて、前記流量調節胴体４３０の回転によって前記連通ホール４１３の開度を変化させる。
【００７６】
この時、前記調節孔４４０は、前記流路パッド４１０の連通ホール４１３と相互に対応している形状を有することが望ましい。これは、前記調節孔４４０が前記流量調節給水口４２０と共に回転させられるために、調節孔４４０と連通ホール４１３が相互に重なるようにしながら、この過程でイオン水の流量が調節されるようにするためである。
【００７７】
前記流路ガイド４５０は、上部が開放された状態で前記調節孔４４０を取り囲んで、前記第２締結部３３０に回転可能に結合されるように前記流量調節胴体４３０の上部面から突き出して形成されている。
【００７８】
この時、前記流量調節給水口４２０の前記流量調節胴体４３０が前記第２締結部３３０に回転可能に嵌められるように、前記流路ガイド４５０の上端には外側に突き出して形成
された係止突起４５３が形成されて、前記第２締結部３３０の内周縁には前記流路ガイド４５０の前記係止突起４５３の高さと対応する位置に前記係止突起４５３が嵌められる係止溝３３３が形成されていることが望ましい。
【００７９】
このようにすれば、前記第２締結部３３０は、係止突起４５３が係止溝３３３に嵌められることによって、前記流量調節給水口４２０からの離脱が防止されると共に回転が可能になる。
【００８０】
また、前記流路ガイド４５０が前記調節孔４４０と連通ホール４１３を通じて噴出されるイオン水を前記第２締結部３３０にガイドするようになる。
本実施例では前記流量調節胴体４３０が前記係止突起４５３と前記係止溝３３３の結合を通じて前記第２締結部３３０と回転可能に結合されることで説明したが、その結合方法を必ずしも限定するものではない。
【００８１】
一方、前記第２締結部３３０と前記流量調節給水口４２０の間及び前記流量調節給水口４２０と前記スリップ部３４０の前方の間には水密を保持するためのＯ-リングＯがそれぞれ介在することが望ましく、このために前記スリップ部３４０の前方内側には前記Ｏ-リングＯが収容される第１Ｏ-リングＯの収容部３４５が形成されて、前記第２締結部３３０の内側下端には前記Ｏ-リングＯが収容される第２Ｏ-リングＯの収容部３３５が形成されていることが望ましい。
【００８２】
そして、前記磁石モジュール２００の本体２１０と前記ハウジング３００は、耐久性が強くて機械的強度が高いＡＢＳ、ＦＲＰ又はエンジニアリングプラスチックのうちで何れか一つの素材が選択されて使われることが望ましい。
【００８３】
前記のような構成を有するユニバーサルアダプター１００は、前記第１締結部３２０と前記第２締結部３３０との間に回転可能な状態で配置されることによって、シャワー器１０に排出されるイオン水の流量を選択的に調節するようになる。
【００８４】
今まで説明したように、本発明の磁石モジュール２００が具備されたユニバーサルアダプター１００は、噴射部材の種類に拘わらず、結合されて使われることによって所望の場所でイオン水の使用が可能であり、併せて、イオン水流量の制御が選択的に可能であるために、使用上の便利さが提供される効果がある。
前記した本願発明の効果は、次の表のような結果をもたらした。
【００８５】
【表１】
0005275487.tif 000002
*試験条件:流速(９．６L/min)
**減少率(％)={(Ａ-Ｂ)/Ａ}×１００
ここで、Ａ:初期細菌数
Ｂ:一定時間後の細菌数
***試験菌株:Escherichia coli ＡＴＣＣ ２５９２２
Staphylococcus aureus ＡＴＣＣ ６５３８
添付:試験結果報告書
用途:品質管理用
前記表１の試験成績書は、韓国化学試験研究院で試した結果値である。
【００８６】
【表２】
0005275487.tif 000003
註)１．試験条件
１)試験菌種
1 Staphylococcus aureus ＡＴＣＣ ６５３８
2 Escherichia coli ＡＴＣＣ ２５９２２
２)初期菌濃度
1 １．５×１０５CFU/mL
2 ２．３×１０５CFU/mL
３)試料の種類及び採取量:試料１(シャワー器通過水道水)。試料２(一般水道水)
４)接触時間及び条件:２０分、Room temp。
５)対照片:滅菌蒸溜水
２．殺菌力(％)=[(Ａ-Ｂ)/Ａ]×１００
(Ａ:初期菌数、Ｂ:接触後の試験片の菌数)
【００８７】
【表３】
0005275487.tif 000004
【００８８】
前記表３の試験成績書は、ソウル特別市の保健環境研究院で試した結果値である。
前記表１、２、３の試験結果において、本発明は、細菌が不検出であり、滅菌力が優秀であり、各種細菌及び大腸菌などが検出されなかったことが分かった。
【００８９】
以上、本発明を望ましい実施例を通じて説明したが、本発明が属する技術分野で通常の知識を有した者なら本発明の技術的思想を脱しなくても、多様な改造や変形が可能であることを理解するであろう。
【００９０】
例えば、噴射部材の種類、ハウジング３００と流量調節給水口４２０と第２締結部３３０との結合方法、収容溝２３０と永久磁石２４０の個数、互いに異なる極性で向い合う永久磁石２４０の配置方法、流量調節部４００の構造、流路パッド４１０の位置固定ピン４１５及びピン孔３１３の個数、ナーレット４３７の形状、磁石モジュール２００の本体２１０と前記ハウジング３００の材質などは本発明の技術的範囲を決める基準になるものではなくて、反って、特許請求の範囲のみによって決まることは言うまでもない。
【符号の説明】
【００９１】
１０  シャワー器
２０  給水管
３０  カプラ
１００  ユニバーサルアダプター
２００  磁石モジュール
２１０  本体
２１３  ヘッド部
２２０、４０  流路管
２３０  収容溝
２４０、５０  永久磁石
２５０  遮蔽板
３００  ハウジング
３１０  装着口
３１３  ピン孔
３２０  第１締結部
３２３  段差部(step)
３３０  第２締結部
３３３  係止溝
３３５  第２Ｏ-リング収容部
３４０  スリップ部
３４３  固定突起
３４５  第１Ｏ-リング収容部
４００  流量調節部
４１０  流路パッド
４１３  連通ホール
４１５  位置固定ピン
４２０  流量調節給水口
４３０  流量調節胴体
４３３  固定ホック
４３５  弾性切開溝
４３７  ナーレット
４４０  調節孔
４５０  流路ガイド
４５３  係止突起
Ｏ      Ｏ-リング 
【図１】
0005275487.tif 000005
【図２】
0005275487.tif 000006
【図３】
0005275487.tif 000007
【図４】
0005275487.tif 000008
【図５】
0005275487.tif 000009
【図６】
0005275487.tif 000010